(57)【特許請求の範囲】
【請求項１】
透液性表面シートと裏面シートとの間に吸収体が介在されるとともに、前記透液性表面シートと吸収体との間に親水性のセカンドシートが配設された吸収性物品において、
前記吸収体に前記セカンドシートを積層した状態で、前記セカンドシートの外面側から吸収性物品の長手方向及び幅手方向にそれぞれ間隔をあけて第１エンボスを付与することによって、隣り合う前記第１エンボス間の前記セカンドシートを前記吸収体に密着させた第１高密着領域が形成されるとともに、前記セカンドシートに前記透液性表面シートを積層した状態で、前記透液性表面シートの外面側から吸収性物品の長手方向及び幅方向にそれぞれ間隔をあけるとともに、前記各第１エンボスの少なくとも両側であって前記第１エンボスと重ならない位置に、第２エンボスを付与することによって、隣り合う前記第２エンボス間の前記透液性表面シートを前記セカンドシートに密着させた第２高密着領域が形成されていることを特徴とする吸収性物品。
【請求項２】
前記第１エンボス及び第２エンボスは、体液排出部位に対応する領域を含む範囲に設けられている請求項１記載の吸収性物品。
【請求項３】
前記第１エンボスは、吸収性物品の長手方向に長い直線状のエンボスである請求項１、２いずれかに記載の吸収性物品。
【請求項４】
前記第２エンボスは、円形又は吸収性物品の長手方向に長い楕円形若しくは長円形である請求項１〜３いずれかに記載の吸収性物品。
【請求項５】
前記第１エンボスは、吸収性物品の幅方向及び長手方向に間隔をあけて互い違いに千鳥状に配置され、前記第２エンボスは、前記第１エンボスの両側の前記第１エンボスと重ならない位置に配置することにより、吸収性物品の幅方向及び長手方向に間隔をあけて互い違いに千鳥状に配置されている請求項１〜４いずれかに記載の吸収性物品。
【請求項６】
前記第１エンボスは、吸収性物品の幅方向及び長手方向に間隔をあけて整列するように格子状に配置され、前記第２エンボスは、前記第１エンボスの両側の前記第１エンボスと重ならない位置に配置することにより、吸収性物品の幅方向及び長手方向に間隔をあけて整列するように格子状に配置されている請求項１〜４いずれかに記載の吸収性物品。
【発明の詳細な説明】
【技術分野】
【０００１】
本発明は、経血やおりものなどを吸収するための生理用ナプキン、パンティライナー、失禁パッド等の吸収性物品、詳しくは吸収体への体液の引き込みを向上させることなどを目的として多数のエンボスを施した吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在したものが知られている。
【０００３】
この種の吸収性物品にも幾多の改良が重ねられ、通液性を向上し、体液を吸収体に引き込みやすくすることなどを目的として、体液排出部位に対応する領域に多数のエンボスや開口を施したものが知られている。
【０００４】
例えば、下記特許文献１では、厚さ方向に貫通する開口部を有する液透過性のトップシートと、該トップシートの開口部に対して厚さ方向の位置に設けられており厚さ方向に貫通するかまたは厚さ方向に延在し貫通していない開口部を有する液保持性の吸収体とを含み、前記トップシートの開口部および前記吸収体の開口部において、前記トップシートは前記吸収体から剥離しており、前記トップシートの着衣側の面における開口部の開口径は、前記吸収体の肌側の面における開口部の開口径よりも小さい吸収性物品が開示されている。
【０００５】
また、下記特許文献２では、吸収体には高坪量領域と、該高坪量領域より相対的に坪量が低い低坪量領域とを有しており、前記低坪量領域が高坪量領域を囲むようにして平面方向に配置され、表面シートは肌当接面側に形成された複数の畝状の突部を有しており、表面シートの平面視において突部の間の窪みには繊維量の少ない部分又は表面シートの厚み方向に通ずる開孔が形成されている吸収性物品が開示されている。
【０００６】
更に、下記特許文献３では、吸液性コアの厚み方向の中間に表面シートにほぼ平行して広がる透液性の熱可塑性合成樹脂シートが介在し、前記熱可塑性合成樹脂シートが、多数の透孔と、該透孔の周縁において該シートの上面から下面へ向かう方向へ延びる可撓性の周壁とを有している吸収性物品が開示されている。
【先行技術文献】
【特許文献】
【０００７】
【特許文献１】特開２０１３−２１２２５０号公報
【特許文献２】特開２０１２−２３９７２１号公報
【特許文献３】特許第３３６３３１２号公報
【発明の概要】
【発明が解決しようとする課題】
【０００８】
しかしながら、上記特許文献１〜３記載の吸収性物品では、シートに開孔を設けることによって通液性を高めているが、この開孔以外の領域では、表面シートと吸収体又は表面シートと中間のシート及び中間のシートと吸収体との密着性が低いため、これらの層間で体液が移行しにくいという問題があった。
【０００９】
また、シートに開孔を設けた場合には、吸収体に吸収した体液が開孔から表面側に逆戻りしやすいという問題があった。
【００１０】
そこで本発明の主たる課題は、各層間の密着性を向上させて体液の移行を促進するとともに、表面側への逆戻りを生じにくくした吸収性物品を提供することにある。
【課題を解決するための手段】
【００１１】
上記課題を解決するために請求項１に係る本発明として、透液性表面シートと裏面シートとの間に吸収体が介在されるとともに、前記透液性表面シートと吸収体との間に親水性のセカンドシートが配設された吸収性物品において、
前記吸収体に前記セカンドシートを積層した状態で、前記セカンドシートの外面側から吸収性物品の長手方向及び幅手方向にそれぞれ間隔をあけて第１エンボスを付与することによって、隣り合う前記第１エンボス間の前記セカンドシートを前記吸収体に密着させた第１高密着領域が形成されるとともに、前記セカンドシートに前記透液性表面シートを積層した状態で、前記透液性表面シートの外面側から吸収性物品の長手方向及び幅方向にそれぞれ間隔をあけるとともに、前記各第１エンボスの少なくとも両側であって前記第１エンボスと重ならない位置に、第２エンボスを付与することによって、隣り合う前記第２エンボス間の前記透液性表面シートを前記セカンドシートに密着させた第２高密着領域が形成されていることを特徴とする吸収性物品が提供される。
【００１２】
上記請求項１記載の発明では、先ず、前記セカンドシートの外面側から前記第１エンボスを付与しているため、この第１エンボスにおいてセカンドシートから吸収体への体液の引き込みが向上する。また、前記第１エンボスを間隔をあけて多数付与することによって、隣り合う前記第１エンボス間の前記セカンドシートを前記吸収体に密着させた第１高密着領域を形成しているため、隣り合う第１エンボス間においても、セカンドシートから吸収体への体液の移行が促進されるようになる。
【００１３】
更に、前記透液性表面シートの外面側から前記第２エンボスを付与しているため、前記第２エンボスにおいて透液性表面シートからセカンドシート及び吸収体への体液の引き込みが向上するようになるとともに、前記第２エンボスを間隔をあけて付与することによって、隣り合う前記第２エンボス間の前記透液性表面シートを前記セカンドシートに密着させた第２高密着領域を形成しているため、隣り合う第２エンボス間においても、透液性表面シートからセカンドシートへの体液の移行が促進されるようになる。
【００１４】
このように、透液性表面シートとセカンドシートとの間、及びセカンドシートと吸収体との間の各層間の密着性を高めて体液の移行を促進させることにより、体液を吸収体に吸収保持しているため、各層間の液残りがなくなり、表面側への逆戻りも生じにくくなる。
【００１５】
また、前記第１エンボスが体液の一時的な貯留空間として作用し、この第１エンボスに溜まった体液が吸収体に吸収保持されるため、表面側への逆戻りが生じにくくなる。
【００１６】
請求項２に係る本発明として、前記第１エンボス及び第２エンボスは、体液排出部位に対応する領域を含む範囲に設けられている請求項１記載の吸収性物品が提供される。
【００１７】
上記請求項２記載の発明では、体液を吸収体に素早く移行させる必要がある体液排出部位に対応する領域を含む範囲に前記第１エンボス及び第２エンボスを設けているため、体液が吸収体に確実に移行されるとともに、表面側への逆戻りが確実に生じにくくなるようにしている。
【００１８】
請求項３に係る本発明として、前記第１エンボスは、吸収性物品の長手方向に長い直線状のエンボスである請求項１、２いずれかに記載の吸収性物品が提供される。
【００１９】
上記請求項３記載の発明では、前記第１エンボスを吸収性物品の長手方向に長い直線状のエンボスとすることにより、セカンドシートと吸収体との間の密着性が確実に向上でき、セカンドシートから吸収体への体液の移行性が確実に向上できるようになる。また、第１エンボスによる一時的な体液の貯留空間を大きく形成することができるようになる。
【００２０】
請求項４に係る本発明として、前記第２エンボスは、円形又は吸収性物品の長手方向に長い楕円形若しくは長円形である請求項１〜３いずれかに記載の吸収性物品が提供される。
【００２１】
上記請求項４記載の発明では、透液性表面シートの外面側に付与する第２エンボスを円形又は吸収性物品の長手方向に長い楕円形若しくは長円形に形成することにより、肌に直接触れた際のエンボスの硬さを感じにくくしている。
【００２２】
請求項５に係る本発明として、前記第１エンボスは、吸収性物品の幅方向及び長手方向に間隔をあけて互い違いに千鳥状に配置され、前記第２エンボスは、前記第１エンボスの両側の前記第１エンボスと重ならない位置に配置することにより、吸収性物品の幅方向及び長手方向に間隔をあけて互い違いに千鳥状に配置されている請求項１〜４いずれかに記載の吸収性物品が提供される。
【００２３】
上記請求項５記載の発明は、第１形態例に係る第１エンボス及び第２エンボスの配置パターンであり、吸収性物品の幅方向及び長手方向に間隔をあけて互い違いに千鳥状に配置したものである。これにより、少ないエンボスの数でより確実にエンボスを施した効果が発揮されるようになる。
【００２４】
請求項６に係る本発明として、前記第１エンボスは、吸収性物品の幅方向及び長手方向に間隔をあけて整列するように格子状に配置され、前記第２エンボスは、前記第１エンボスの両側の前記第１エンボスと重ならない位置に配置することにより、吸収性物品の幅方向及び長手方向に間隔をあけて整列するように格子状に配置されている請求項１〜４いずれかに記載の吸収性物品が提供される。
【００２５】
上記請求項６記載の発明は、第２形態例に係る第１エンボス及び第２エンボスの配置パターンであり、吸収性物品の幅方向及び長手方向に間隔をあけて整列するように格子状に配置したものである。これにより、所定領域のほぼ全域に亘ってエンボスを配置することができるようになる。
【発明の効果】
【００２６】
以上詳説のとおり本発明によれば、各層間の密着性が向上し体液の移行が促進できるとともに、表面側への逆戻りが生じにくくなる。
【図面の簡単な説明】
【００２７】
【図１】本発明に係る生理用ナプキン１の一部破断展開図である。
【図２】図１のII−II線矢視図である。
【図３】体液排出部対応領域の拡大断面図（図１のIII−III線矢視図）である。
【図４】(A)〜(C)は、エンボスの加工要領を示す断面図である。
【図５】第１エンボス２０の平面図である。
【図６】第１エンボス２０用のエンボスピン２４を示す断面図である。
【図７】第２エンボス２１の平面図である。
【図８】第２エンボス２１用のエンボスピン２５を示す断面図である。
【図９】第１エンボス２０及び第２エンボス２１の配設位置を示す平面図である。
【図１０】第２形態例に係る生理用ナプキン１の展開図である。
【発明を実施するための形態】
【００２８】
以下、本発明の実施の形態について図面を参照しながら詳述する。
【００２９】
〔生理用ナプキン１の基本構成〕
本発明に係る生理用ナプキン１は、図１及び図２に示されるように、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、必要に応じて前記吸収体４の形状保持および拡散性向上のために前記吸収体４を囲繞するクレープ紙５と、前記透液性表面シート３と吸収体４との間に配置される親水性のセカンドシート６と、表面両側部にそれぞれ長手方向に沿って配設されたサイド不織布７，７とから構成されている。また、前記吸収体４の周囲において、そのナプキン長手方向の前後端縁部では、前記不透液性裏面シート２と透液性表面シート３との外縁部がホットメルトなどの接着剤やヒートシール等の接着手段によって接合され、またその両側縁部では吸収体４の端縁よりも側方に延出している前記不透液性裏面シート２と前記サイド不織布７とがホットメルトなどの接着剤やヒートシール等の接着手段によって接合され、外周に吸収体４の存在しない外周フラップ部が形成されている。また、前記透液性表面シート３の表面側（肌当接面側）からのエンボスにより、排血口部位Ｈを囲むように、エンボス溝１０が形成されている。前記クレープ紙５は、必要に応じて設けられ、無くてもよい。
【００３０】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００３１】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高で圧縮復元性が高い点で優れている。
【００３２】
前記不透液性裏面シート２と表面シート３との間に介在される吸収体４は、たとえばパルプ中に高吸水性樹脂を混入したもの、或いはパルプ中に化学繊維を混入させるとともに、高吸水性樹脂を混入したものが使用される。前記吸収体４は、図示のように、形状保持、および経血等を速やかに拡散させるとともに、一旦吸収した経血等の逆戻りを防止するためにクレープ紙５によって囲繞するのが望ましい。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。また、前記吸収体４として、嵩を小さくできるエアレイド吸収体を用いてもよい。
【００３３】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００３４】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。前記高吸水性樹脂の含有率は吸収体重量の１０〜６０％とするのが望ましい。高吸水性樹脂含有率が１０％未満の場合には、十分な吸収能を与えることができず、６０％を超える場合にはパルプ繊維間の絡み合いが無くなり、シート強度が低下し破れや割れ等が発生し易くなる。
【００３５】
本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。
【００３６】
一方、本生理用ナプキン１の表面側の両側部にはそれぞれ、長手方向に沿ってかつナプキン１のほぼ全長に亘ってサイド不織布７，７が設けられ、このサイド不織布７，７の一部が側方に延在されるとともに、同じく側方に延在された不透液性裏面シート２の一部とによってウイング状フラップＷ、Ｗが形成されている。
【００３７】
前記サイド不織布７としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００３８】
前記サイド不織布７の内方側は、図２に示されるように、前記サイド不織布７をほぼ二重に折り返すとともに、この二重シート内部に、その高さ方向中間部に両端または長手方向の適宜の位置が固定された１または複数の、図示例では２本の糸状弾性伸縮部材８，８が配設され、その収縮力によって前記二重シート部分を表面側に起立させた立体ギャザーＢＳ、ＢＳが形成されている。
【００３９】
〔エンボス溝１０〕
図１に示されるように、前記透液性表面シート３の面側には、排血口部Ｈを囲むように、エンボス溝１０が形成されている。
【００４０】
前記エンボス溝１０は、種々の平面パターンで設けることが可能である。本例では、図１に示されるように、排血口部Ｈを囲むように、ナプキン長手方向に長い全体として略小判形の閉合形状とされた中央エンボス１１と、前記中央エンボス１１より前側に離間して配置され、排血口部Ｈ側が幅方向に離間する略逆Ｕ字状をなす前側エンボス１２と、前記中央エンボス１１より後側に離間して配置され、排血口部Ｈ側が幅方向に離間する略Ｕ字状をなす後側エンボス１３と、前記中央エンボス１１の両側にそれぞれ、前記中央エンボス１１より幅方向に離間して配置され、略長手方向に沿うとともに、前記中央エンボス１１の両側部にほぼ平行する両側エンボス１４、１４とから構成されている。
【００４１】
図示例のエンボス溝１０についてさらに詳しく説明すると、前記中央エンボス１１は、該中央エンボス１１で囲まれた領域を装着者の排血口部に密着させやすくするとともに、体液の横方向及び前後方向への拡散を抑制して横漏れ及び前後漏れを防止するためのものである。前記前側エンボス１２、後側エンボス１３及び両側エンボス１４、１４はそれぞれ、中央エンボス１１を越えて前側、後側又は幅方向両側に拡散した体液を受け止めて、前側、後側又は幅方向両側への体液の漏れを防止するためのものである。
【００４２】
前記中央エンボス１１は、少なくとも排血口部Ｈを含む領域、好ましくは図１に示されるようにウイング状フラップＷとほぼ同じかこれより長い長手領域において、ナプキン長手方向に長い縦長の略小判形、楕円形又は長円形に形成されている。エンボス溝の溝幅は、全体に亘って同幅としてもよいが、図示例のように、両側の略長手方向に延びる部分の溝幅を、前後の円弧状部分の溝幅より狭くしてもよい。
【００４３】
前記前側エンボス１２は、ナプキン前側に膨出する円弧状に形成されるとともに、後側の両端部が幅方向に離間し、その両端部から連続して幅方向外側に向けて延在する略逆Ｕ字状（略Ω状）パターンで形成されている。前記円弧状部分のナプキン幅方向の離間幅は、中央エンボス１１のナプキン幅方向の離間幅とほぼ同等に形成され、中央エンボス１１より前側に拡散した体液が前側エンボス１２の内側に浸入しやすくなっている。前側エンボス１２の溝幅は、全体に亘ってほぼ等幅に形成されている。
【００４４】
前記後側エンボス１３は、ナプキン後側に膨出する円弧状に形成されるとともに、前側の両端部が幅方向に離間し、その両端部から連続して幅方向外側に向けて延在する略Ｕ字状（略逆Ω状）パターンで形成されている。前記後側エンボス１３は、臀部溝の伝い漏れなどを防止するため、前記前側エンボス１２と比較してナプキン長手方向に長く形成され、ナプキン長手方向のより広い範囲で体液を受け止めることができるようになっている。後側エンボス１３の溝幅も全体に亘ってほぼ同等に形成されている。
【００４５】
前記両側エンボス１４、１４は、略ナプキン長手方向に沿う線状のエンボス溝であり、中央エンボス１１と、サイド不織布７により構成される立体ギャザーＢＳとの間に設けられている。前記両側エンボス１４の溝幅も全体に亘ってほぼ同等に形成されている。
【００４６】
〔高密着領域を形成するためのエンボス〕
次に、吸収体４とセカンドシート６との密着性及びセカンドシート６と透液性表面シート３との密着性を高めるために付与するエンボスについて説明する。本生理用ナプキン１では、図１に示されるように、所定の領域に、セカンドシート６の外面側から間欠的に多数の第１エンボス２０、２０…が付与されるとともに、透液性表面シートの外面側から間欠的に多数の第２エンボス２１、２１…が付与されている。これらのエンボス２０、２１を付与することによって、各エンボスを付与したシート材と下層の部材との密着性を高めている。
【００４７】
以下、具体的に説明すると、本生理用ナプキン１では、図４(A)に示されるように、クレープ紙５によって囲繞された吸収体４の肌側面にセカンドシート６を積層した状態で、前記セカンドシート６の外面側から、ナプキン幅方向及び長手方向にそれぞれ間隔をあけて多数の第１エンボス２０、２０…を付与することによって、隣り合う前記第１エンボス２０、２０間のセカンドシート６を前記吸収体４（クレープ紙５）に密着させた第１高密着領域２２が形成されている。
【００４８】
前記第１高密着領域２２は、隣り合う第１エンボス２０、２０間に挟まれた領域において、前記第１エンボス２０、２０の圧搾力によってセカンドシート６が引き伸ばされ、その張力によってセカンドシート６が吸収体４側に押し付けられ、セカンドシート６が吸収体４（クレープ紙５）に対し他の領域より高密度に密着した領域のことである。
【００４９】
このように、前記セカンドシート６の外面側から第１エンボス２０、２０…を付与することによって、この第１エンボス２０においてセカンドシート６から吸収体４側への体液の引き込みが向上し、体液が素早く吸収体４に吸収保持されるようになる。また、隣り合う第１エンボス２０、２０間に第１高密着領域２２を形成しているため、この領域のセカンドシート６から吸収体４への体液の移行が促進されるようになる。
【００５０】
前記第１エンボス２０を付与した後、図４(B)に示されるように、セカンドシート６の肌側面に透液性表面シート３を積層した状態では、前記第１エンボス２０、２０…の圧搾力によって、第１エンボス２０周辺のセカンドシート６表面が第１エンボス２０側に沈み込んでいるため、透液性性表面シート３とセカンドシート６との間に隙間が生じるようになる。このような隙間が存在する状態では、透液性表面シート３からセカンドシート６に体液が移行しにくいため、表面側に体液が残りやすいという問題があった。
【００５１】
そこで、本生理用ナプキン１では、セカンドシート６の肌側面に透液性表面シート３を積層した状態で、同図４(C)に示されるように、透液性表面シート３の外面側から、前記第１エンボス２０の少なくとも両側であって前記第１エンボス２０と重ならない位置に、第２エンボス２１を付与することによって、隣り合う第２エンボス２１、２１間の透液性表面シート３をセカンドシート６に密着させた第２高密着領域２３を形成している。
【００５２】
前記第２高密着領域２３は、隣り合う第２エンボス２１、２１間に挟まれた領域において、前記第２エンボス２１、２１の圧搾力によって透液性表面シート３が引き伸ばされ、その張力によって透液性表面シート３がセカンドシート６側に押し付けられ、透液性表面シート３がセカンドシート６に対し他の領域より高密度に密着した領域のことである。前記第２高密着領域２３は、前記第１エンボス２０を跨いだ両側に形成され、第１エンボス２０部分は透液性表面シート３がセカンドシート６に接触しない空間部とされている。
【００５３】
前記透液性表面シート３の外面側から第２エンボス２１、２１…を付与することによって、第２エンボス２１において透液性表面シート３からセカンドシート６及び吸収体４側への体液の引き込みが向上する。また、隣り合う第２エンボス２１、２１間に第２高密着領域２３を形成しているため、前記第１エンボス２０によってセカンドシート６の表面が沈み込んだ部分の透液性表面シート３とセカンドシート６との密着性が向上し、透液性表面シート３からセカンドシート６への体液の移行が促進されるようになる。
【００５４】
このように、本生理用ナプキン１では、透液性表面シート３とセカンドシート６との間、及びセカンドシート６と吸収体４との間の各層間の密着性を高めて体液の移行を促進させることにより、体液を吸収体４に吸収保持するため、各層間の液残りがなくなり、表面側への逆戻りも生じにくくなる。
【００５５】
また、前記第１エンボス２０によって形成される凹部は、体液の一時的な貯留空間として作用し、この第１エンボス２０に溜まった体液が、第１エンボス２０の内面（セカンドシート６）を浸透して吸収体４に吸収保持されるため、体液の吸収スピードが向上するとともに、表面側への体液の逆戻りが生じにくくなる。
【００５６】
前記第１エンボス２０及び第２エンボス２１は、図１に示されるように、排血口部Ｈに対応する領域を含む範囲に設けるのが好ましい。図１に示される例では、排血口部Ｈを囲む中央エンボス１１で囲まれた範囲内に形成している。これにより、体液を素早く吸収体４に移行させる必要がある領域において、確実に体液が吸収体４に移行できるようになるとともに、表面側への逆戻りが生じにくくなる。なお、前記第１エンボス２０及び第２エンボス２１は、吸収体４が介在する範囲の全体に亘って形成してもよい。
【００５７】
前記第１エンボス２０は、図３に示されるように、セカンドシート６の外面側から吸収体４の所定深さまで圧搾するエンボスである。前記第１エンボス２０は、ナプキン長手方向及び幅方向にそれぞれ間隔をあけて多数設けられている。前記第１エンボス２０の圧搾力によってセカンドシート６が引き伸ばされるが、セカンドシート６が引き裂かれて開口が形成されるようなことはなく、第１エンボス２０によって形成される凹部は表面が全体に亘ってセカンドシート６で覆われている。前記第１エンボス２０は、吸収体４を貫通しない程度の深さで設けられている。
【００５８】
前記第１エンボス２０は、図１及び図５に示されるように、平面視で、ナプキン長手方向に長い直線状（長方形状）に形成するのが好ましい。これにより、セカンドシート６と吸収体４との間の密着性が確実に向上でき、セカンドシート６から吸収体４への体液の移行性が確実に向上するようになる。また、体液の一時的な貯留空間が大きく形成でき、体液の吸収効率が向上できる。なお、第１エンボス２０を直線状にすることによりエンボスの硬さが増し肌ざわり感への悪影響が懸念されるが、セカンドシート６の外面側に透液性表面シート３が積層されるため、第１エンボス２０が肌ざわり感に影響を及ぼすことはない。
【００５９】
前記第１エンボス２０の平面寸法（エンボス凹部底面の寸法）は、図５に示されるように、長手寸法Ｌ２０が５ｍｍ〜１５ｍｍ、好ましくは８ｍｍ〜１２ｍｍとするのがよく、短手寸法Ｗ２０が０．５ｍｍ〜５ｍｍ、好ましくは２ｍｍ〜４ｍｍとするのがよい。
【００６０】
前記第１エンボス２０の断面形状は、図３に示されるように、エンボス凹部の底面がほぼ平坦に形成されるようにするのが好ましい。これにより、エンボス圧搾時にセカンドシート６にしっかりとテンションをかけることができ、隣り合う第１エンボス２０、２０間のセカンドシート６を吸収体４側にしっかりと密着できるようになる。また、第１エンボス２０を体液の一時貯留場所として利用する際に、貯留空間がきっちりと形成されるため、体液が浸入しやすくなる。
【００６１】
このような断面形状の第１エンボス２０を施すには、図６に示されるように、先端が平坦な断面逆台形状のエンボスピン２４を用いるのが好ましい。このエンボスピン先端の幅Ｗ２４は、０．５ｍｍ〜５ｍｍ、好ましくは１ｍｍ〜２ｍｍとするのがよい。また、エンボスピンの高さＨ２４（第１エンボス２０のエンボス深さ）は、１ｍｍ〜５ｍｍ、好ましくは２ｍｍ〜４ｍｍとするのがよい。
【００６２】
また、図９に示されるように、隣り合う第１エンボス２０、２０の中心間のナプキン長手方向の離間距離であるナプキン長手方向のピッチＰＬ２０は、６．５ｍｍ〜２０ｍｍ、好ましくは１２ｍｍ〜１４ｍｍとするのがよく、中心間のナプキン幅方向の離間距離であるナプキン幅方向のピッチＰＷ２０は、３．５ｍｍ〜２５ｍｍ、好ましくは１２ｍｍ〜１４ｍｍとするのがよい。
【００６３】
次いで前記第２エンボス２１は、図３に示されるように、透液性表面シート３の外面側から吸収体４の所定深さまで圧搾するエンボスである。前記第２エンボス２１は、ナプキン長手方向及び幅方向にそれぞれ間隔をあけて多数形成されている。前記第２エンボス２１は、第１エンボス２０の少なくとも両側に、第１エンボス２０から間隔をあけて重ならない位置に設けられている。前記第２エンボス２１は、図１に示される例では、第１エンボス２０のナプキン幅方向の両側にそれぞれ１つずつ設けられているが、これに代えて第１エンボス２０に対してナプキン長手方向の両側に設けてもよいし、ナプキン幅方向の両側及びナプキン長手方向の両側の両方に設けてもよい。また、隣り合う第１エンボス２０、２０間においては、両方の第１エンボス２０、２０の両側に位置する１つの第２エンボス２１がこれらの第１エンボス２０、２０の間の中央部に設けられた１つの第２エンボス２１によって共通している。
【００６４】
前記第２エンボス２１の圧搾力によって透液性表面シート３が引き伸ばされるが、透液性表面シート３が引き裂かれて開口が形成されるようなことはなく、第２エンボス２１によって形成される凹部の全体に亘って表面が透液性表面シート３で覆われている。前記第２エンボス２１は、吸収体４を貫通しない程度の深さで設けられている。前記第２エンボス２１は、前記第１エンボス２０と同程度の深さで形成してもよいし、これより浅くても深くても良い。
【００６５】
前記第２エンボス２１は、図１及び図７に示されるように、平面視で、円形に形成するのが好ましい。また、ナプキン長手方向に長い楕円形や長円形などで形成することも可能である。第２エンボス２１を円形とすることにより、肌に直接触れた際のエンボスの硬さを感じにくくしている。
【００６６】
前記第２エンボス２１の平面寸法（溝底面の寸法）は、図７に示されるように、ナプキン長手方向の寸法Ｌ２１が１ｍｍ〜５ｍｍ、好ましくは２ｍｍ〜４ｍｍとするのがよく、ナプキン幅方向の寸法Ｗ２１が１ｍｍ〜５ｍｍ、好ましくは２ｍｍ〜４ｍｍとするのがよい。
【００６７】
前記第２エンボス２１の断面形状は、図３に示されるように、底面が半円形のドーム状に形成するのが好ましい。これにより、エンボスが直接肌に触れたときの硬さの影響が低減できるとともに、第２エンボス２１を施した際の透液性表面シート３の破れが防止できる。
【００６８】
かかる断面形状の第２エンボス２１を施すには、図８に示されるように、先端が半球状のエンボスピン２５を用いるのが好ましい。このエンボスピン２５の直径Ｗ２５は、０．５ｍｍ〜３ｍｍ、好ましくは１ｍｍ〜２ｍｍとするのがよく、エンボスピン２５の高さＨ２５（第２エンボス２１のエンボス深さ）は、２ｍｍ〜５ｍｍ、好ましくは２ｍｍ〜４ｍｍとするのがよい。
【００６９】
また、隣り合う第２エンボス２１、２１の中心間のナプキン長手方向の離間距離であるナプキン長手方向のピッチＰＬ２１は、上記ＰＬ２０と同様に、６．５ｍｍ〜２０ｍｍ、好ましくは１２ｍｍ〜１４ｍｍとするのがよく、中心間のナプキン幅方向の離間距離であるナプキン幅方向のピッチＰＷ２１は、上記ＰＷ２０と同様に、３．５ｍｍ〜２５ｍｍ、好ましくは１２ｍｍ〜１４ｍｍとするのがよい。
【００７０】
次に、前記第１エンボス２０と第２エンボス２１との相対的な位置関係について説明すると、図９に示されるように、前記第１エンボス２０と第２エンボス２１との隙間は、ナプキン長手方向の離間距離ＳＬが３ｍｍ〜１０ｍｍ、好ましくは５ｍｍ〜７ｍｍとするのがよく、ナプキン幅方向の離間距離ＳＷが１．５ｍｍ〜５ｍｍ、好ましくは２ｍｍ〜３ｍｍとするのがよい。
【００７１】
ところで、前記第１エンボス２０及び第２エンボス２１の配置パターンは、図１に示されるように、千鳥状配置とすることができる。具体的には、前記第１エンボス２０は、ナプキン幅方向及び長手方向に間隔をあけて互い違いに千鳥状に多数配置され、前記第２エンボス２１は、前記第１エンボス２０の両側の第１エンボス２０と重ならない位置に配置することにより、ナプキン幅方向及び長手方向に間隔をあけて互い違いに千鳥状に多数配置されたパターンとすることができる。この千鳥状に配置することにより、少ないエンボスの数でより確実にエンボスを施す効果が発揮されるようになる。
【００７２】
また、第１エンボス２０及び第２エンボス２１の配置パターンの第２形態例として、図１０に示されるように、前記第１エンボス２０が、ナプキン幅方向及び長手方向に間隔をあけて各方向に整列するように格子状に多数配置され、前記第２エンボス２１が、前記第１エンボス２０の両側の第１エンボス２０と重ならない位置に配置することにより、ナプキン幅方向及び長手方向に間隔をあけて整列するように格子状に多数配置されたパターンとすることができる。この格子状に配置することにより、所定の領域のほぼ全域に亘ってエンボスを配置することができるようになる。図１０に示される例では、第１エンボス２０が、ナプキン幅方向に３列、ナプキン長手方向に５行で設けられ、第２エンボス２１が、ナプキン幅方向に４列、ナプキン長手方向に５行で設けられている。
【００７３】
前記部材間の密着性を更に高めるため、前記第２エンボス２１…の付与後、フラットロールによって透液性表面シート３の外面側から全体に圧力を加えることにより、各部材間を密着させる加工を施してもよい。これにより、前記第１エンボス２０及び第２エンボス２１を付与した領域では、透液性表面シート３とセカンドシート６との密着性及びセカンドシート６と吸収体４側との密着性が更に高まるとともに、それ以外の領域でも各部材間の密着性が高まり、各部材間を体液が移行しやすくなる。
【実施例】
【００７４】
本発明に係る生理用ナプキン１による逆戻り量の改善効果を実証するため、本生理用ナプキン１（実施例）、前記第１エンボスのみを施し、第２エンボスを施さないナプキン（比較例１）及び前記第１エンボスと第２エンボスを施さないナプキン（比較例２）の３種類のナプキンについて、逆戻り量の測定を行った。前記実施例、比較例１及び比較例２は、同じ素材からなるナプキンであり、前記エンボスの有無のみが異なるものとした。各素材の仕様は次のとおりである。
透液性表面シート：エアスルー、目付２５ｇ／ｍ２
セカンドシート：エアスルー、目付１８ｇ／ｍ２
吸収体：パルプ目付３００ｇ／ｍ２、ポリマー目付７０ｇ／ｍ２
クレープ紙：目付１３．５ｇ／ｍ２
測定方法は、各ナプキンの透液性表面シートの表面に、３７℃の人工経血（粘度８）を３ｃｃ滴下した後、２分経過後に同じ位置に同様の人工経血を３ｃｃ滴下し、１分間放置した後、この滴下位置にろ紙を４枚積層するとともに１００ｇ（５ｇ／ｃｍ２）の重りを５分間載置した後、ろ紙の重量の変化量を計測し逆戻り量とした。測定では、各条件のナプキンを３つずつ用意し、３回の測定の平均値を求めた。前記人工経血は、１リットル中の成分が、グリセリン１００ｍｌ、ＣＭＣ（カルボキシメチルセルロースナトリウム）４．６ｇ、精製水８７５ｍｌ、塩化ナトリウム１０ｇ、炭酸ナトリウム１０．７ｇのものを使用した。
【００７５】
その結果を表１に示す。表１の結果、第１エンボスのみを設けた比較例１では、エンボスを設けない比較例２と比較して１３％逆戻り量が改善する（逆戻りしにくくなる）。また、第１エンボス２０及び第２エンボス２１を設けた本生理用ナプキン１（実施例）では、比較例２と比較して３２％逆戻り量が改善する効果が得られた。
【表１】
0006479389.tif 000002
【符号の説明】
【００７６】
１…生理用ナプキン、２…不透液性裏面シート、３…透液性表面シート、４…吸収体、５…クレープ紙、７…サイド不織布、１０…エンボス溝、１１…中央エンボス、１２…前側エンボス、１３…後側エンボス、１４…両側エンボス、２０…第１エンボス、２１…第２エンボス、２２…第１高密着領域、２３…第２高密着領域、２４・２５…エンボスピン
【図１】
0006479389.tif 000003
【図２】
0006479389.tif 000004
【図３】
0006479389.tif 000005
【図４】
0006479389.tif 000006
【図５】
0006479389.tif 000007
【図６】
0006479389.tif 000008
【図７】
0006479389.tif 000009
【図８】
0006479389.tif 000010
【図９】
0006479389.tif 000011
【図１０】
0006479389.tif 000012